(57)【要約】  眼鏡（２）は、該眼鏡（２）の夫々のテンプル先端（４２）に対して夫々が固定されるべく構成された一対の延長部（１）を備えて成る。夫々の延長部（１）は、眼鏡（２）の夫々のテンプル先端（４２）に対して固定されるべく適合化された第１セグメント（５３）と、該第１セグメント（５３）に関して傾斜された第２セグメント（５４）とを有する本体（５）を備えて成る。夫々の第１セグメント（５３）が、夫々のテンプル先端（４２）に対して夫々接続されたとき、夫々の第２セグメント（５４）は、相互に収束する方向（Ｔ）において、夫々のテンプル先端（４２）から突出する。この様にして、夫々の第２セグメント（５４）は、ユーザの首上に着座すると共に、チェーンを使用せずに前記眼鏡を首において支持し得る。夫々の延長部（１）は、異なるサイズのテンプル先端（４２）に対して適合可能である。
2019523911.tif 000002
【特許請求の範囲】
【請求項１】
フレーム・フロント（３）と、
夫々が前記フレーム・フロント（３）に対して取付けられると共に、夫々のテンプル先端（４２）を有する一対のテンプル（４）と、
夫々が、夫々のテンプル先端（４２）に対して着脱自在に取付けられるべく適合化された一対の延長部（１）であって、夫々の延長部（１）は、第１端（５１）と第２端（５２）との間に延在する本体（５）を有する一対の延長部（１）と、を備え、
前記本体（５）は、
夫々のテンプル先端（４２）に対して固定されるべく適合化された第１セグメント（５３）であって、夫々の延長部（１）の第１セグメント（５３）は、夫々のテンプル先端（４２）を可逆的に受容すべく構成されたキャビティ（５５）を有する第１セグメント（５３）と、
前記第１端（５１）における開口（５６）であって、夫々のテンプル先端（４２）により貫通通過されて前記キャビティ（５５）内への夫々のテンプル先端（４２）の挿入を許容すべく適合化された開口（５６）と、
前記第１セグメント（５３）に関して傾斜されると共に、夫々の主要延在方向（Ｔ）に沿って延在する第２セグメント（５４）と、を有し、
前記第１セグメント（５３）が、夫々のテンプル先端（４２）に対して接続されたとき、前記第２セグメント（５４）は、夫々のテンプル先端（４２）から突出し、且つ、前記第２セグメント（５４）の前記主要延在方向（Ｔ）は、前記第２セグメント（５４）がユーザの首上に着座し得る様に、相互に関して収束する、眼鏡（２）において、
前記キャビティ（５５）は第１部分（５８）および第２部分（５９）を有し、前記キャビティ（５５）の前記第１部分（５８）は、前記開口（５６）と前記キャビティ（５５）の前記第２部分（５９）との間に配置され、
前記開口（５６）は前記第１部分（５８）の断面寸法に関して更に小さい断面寸法を有し、
前記第２部分（５９）は、前記第１部分（５８）の断面寸法に関して更に小さい断面寸法を有することを特徴とする、眼鏡（２）。
【請求項２】
夫々の延長部（１）は、夫々のテンプル先端（４２）の挿入の間に前記キャビティ（５５）から空気が抜けることを許容する孔（１１）を有する、請求項１記載の眼鏡（２）。
【請求項３】
前記開口（５６）および／または前記キャビティ（５５）は、弾性的に変形可能であり、前記キャビティ（５５）内への夫々のテンプル先端（４２）の挿入および保持を許容する、請求項１又は２に記載の眼鏡（２）。
【請求項４】
夫々の延長部（１）の前記開口（５６）は楕円形状を有する、請求項１〜３の何れか一項に記載の眼鏡（２）。
【請求項５】
夫々のキャビティ（５５）は前記開口（５６）の逆側に底部（５７）を有し、且つ、
前記第２部分（５９）は前記底部（５７）に配置される、請求項１〜４の何れか一項に記載の眼鏡（２）。
【請求項６】
夫々の開口（５６）は前記キャビティ（５５）の前記第２部分（５９）の断面寸法と同一の寸法を有する、請求項１〜５の何れか一項に記載の眼鏡（２）。
【請求項７】
夫々の延長部（１）の前記本体（５）は弾性材料で作成される、請求項１〜６の何れか一項に記載の眼鏡（２）。
【請求項８】
夫々の第２セグメント（５４）は、２ｃｍ〜８ｃｍの間、好適には３ｃｍに等しい延在範囲を有する、請求項１〜７の何れか一項に記載の眼鏡（２）。
【請求項９】
夫々のテンプル先端（４２）の間の距離は、夫々の延長部（１）の前記第２セグメント（５４）間の距離よりも大きい、請求項１〜８の何れか一項に記載の眼鏡（２）。
【請求項１０】
夫々の第２セグメント（５４）は、２つのテンプル（４）により画成された平面上で測定された１１０°〜１６０°の角度（Ｂ）だけ、夫々の第１セグメント（５３）に関して傾斜する、請求項１〜９の何れか一項に記載の眼鏡（２）。
【請求項１１】
夫々のテンプル先端（４２）は実質的に平坦な端部（４３）を有し、
夫々の延長部（１）の前記開口（５６）は、楕円形状を有することで、前記端部（４３）を保持し、且つ、夫々のテンプル先端（４２）に関する前記延長部（１）の回動を阻止する、請求項４記載の眼鏡（２）。
【請求項１２】
前記開口（５６）、および、前記キャビティ（５５）の前記第２部分（５９）は、夫々、前記キャビティ（５５）の前記第１部分（５８）に関する前記キャビティ（５５）の狭窄部を画成する、請求項１〜１１の何れか一項に記載の眼鏡（２）。
【請求項１３】
前記キャビティ（５５）の前記第１部分（５８）は、広幅タイプのテンプル先端（４２）を受容すべく適合化された取付座を画成し、
前記キャビティ（５５）の前記第２部分（５９）は、狭幅タイプのテンプル先端（４２）を受容すべく適合化された取付座を画成し、且つ、
前記キャビティ（５５）は、広幅タイプのテンプル先端（４２）が前記キャビティ（５５）の前記第２部分（５９）に出入りすることを阻止すべく形状化される、請求項１〜１２の何れか一項に記載の眼鏡（２）。
【請求項１４】
前記キャビティの前記第１部分（５８）は、広幅タイプのテンプル先端（４２）を受容すべく変形可能である、請求項１３記載の眼鏡（２）。
【請求項１５】
請求項１３又は１４に記載の第１の眼鏡（２）と、請求項１３又は１４に記載の第２の眼鏡（２）とを備える、一対の眼鏡であって、
前記第１の眼鏡（２）は広幅タイプの夫々のテンプル先端（４２）を有すると共に、前記第２の眼鏡（２）は狭幅タイプの夫々のテンプル先端（４２）を有し、
前記第１の眼鏡（２）の夫々のテンプル先端（４２）は、前記第２の眼鏡（２）の夫々のテンプル先端（４２）に関して更に大きい断面寸法を有する、一対の眼鏡。
【発明の詳細な説明】
【技術分野】
【０００１】
本発明は、眼鏡の技術分野に関する。本発明は、視力矯正用眼鏡、サングラス、または、他の任意の形式の眼鏡に対して適用可能である。特に、本発明は、一対の延長部が適用される眼鏡に関する。
【背景技術】
【０００２】
公知の眼鏡は、フレーム・フロントと、フレーム・フロントに対して取付けられると共に、ユーザの夫々の耳を通り越して夫々の耳上に着座すべく構成された２つのテンプルとを備えて成る。前記フレーム・フロントは、ユーザが見通すことで自身の視力を向上させ得る２枚のレンズ、または、単一枚のレンズを備える。前記フレーム・フロントは、ユーザの鼻上に着座すべく構成されたノーズ・パッドも備える。
【０００３】
前記テンプルは、ノーズ・パッドと協働して、ユーザが眼鏡を使用して夫々のレンズを見通すときに、該眼鏡がユーザの顔面上で所定位置に留まることを許容する。特に、夫々のテンプルは、フレーム・フロントに対する末端にテンプル先端を有する。
【０００４】
一定の状況において、ユーザは、眼鏡を頻繁に取り付け／取り外しする必要がある。このことは特に、ユーザが遠くおよび近くの対象物を交互に観察するときに読取り用眼鏡を使用する場合、および、たとえば、トンネルに出入りして運転する間において光の急激な変化が在るときにサングラスを使用する場合に発生する。
【０００５】
使用の容易さのためには、ユーザが夫々のレンズを使用しないとき、ユーザは眼鏡を体から外す必要なしで、それを単に異なる位置に着けることが望ましい。
【０００６】
公知の解決策は、夫々のテンプルをつながると共に眼鏡が首の回りに適用されることを許容するチェーンの使用により与えられる。眼鏡の夫々のテンプルは、特に、前記チェーンにおける特有の小穴内に挿入される。
【発明の概要】
【発明が解決しようとする課題】
【０００７】
しかし、同一のチェーンは、ユーザの顔つきに依存して、長すぎ、または、短すぎることがあり得る。長すぎるチェーンは、ユーザが移動するときに自身の首における眼鏡の大きな揺れを引き起こし、眼鏡が外部の物体に衝当するというリスクを伴い得る。
【０００８】
更に、眼鏡のチェーンは、容易に絡まって眼鏡を束縛し、ユーザの首に対する不快さを引き起こし得る。
【０００９】
本発明の目的は、特に、首の回りに適用されたときに眼鏡が移動する可能性、および、衝撃により生じるリスクを制限することにより、上述の問題を解決することである。
【００１０】
本発明の更なる目的は、眼鏡が外部の物体と絡まるリスクを回避し、乍ら、眼鏡が首に適用されることを許容することである。
【課題を解決するための手段】
【００１１】
これらのおよび他の目的は、以下における各請求項の何れか一項に係る眼鏡または一対の眼鏡により達成される。
【発明の効果】
【００１２】
好適には、使用形態において、夫々の延長部の第２セグメントは、ユーザの首の背後に着座して前記眼鏡を支持し得る。結果として、前記眼鏡は首から過剰に垂れ下がらず、その移動性が低減される。更に、前記眼鏡は、絡まり得る要素の存在なしで、首上に支持され得る。
【００１３】
本発明に係る眼鏡の更なる特徴および利点は、添付図面に関して非限定的な例証物として与えられる好適実施例に関する以下の説明から明らかとなろう。
【図面の簡単な説明】
【００１４】
【図１】本発明に係る眼鏡の斜視図である。
【図２】図１の眼鏡のテンプルに対して適用される一方の延長部の斜視図である。
【図３】図２の延長部の断面図である。
【図４】一つの例の寸法を有する眼鏡テンプルの夫々のテンプル先端に対して結合された図２の延長部の断面図である。
【図５】他の例の寸法を有する眼鏡テンプルの夫々のテンプル先端に対して結合された図２の延長部の断面図である。
【発明を実施するための形態】
【００１５】
添付図面を参照すると、眼鏡のための基準的な延長部は、全体的に番号１により表される。本明細書で以下において更に記述される延長部１は、眼鏡２に対して適用可能である。
【００１６】
眼鏡２は、フレーム・フロント３、および、一対のテンプル４を備える。フレーム・フロント３は、ゴーグルの場合と同様に少なくとも一枚のレンズ３１、または、複数枚の、好適には２枚のレンズ３１を備える。フレーム・フロントはまた、夫々のレンズ３１を所定位置に保持するひとつ以上のリム３２、夫々のリム３２を結合するブリッジ３３、ユーザの鼻上に着座すべく構成された２つのノーズ・パッド３４、および、夫々のテンプル４に対して接続されるべく構成された２つのエンドピース３５も備え得る。斯かる特定構造は、当業者に公知であることから、本明細書で以下において更には記述されない。
【００１７】
夫々のテンプル４は、相互に鏡映的である。夫々のテンプル４は、たとえば夫々のエンドピース３５の一方において、フレーム・フロント３に対して取付けられる。好適には、夫々のテンプル４はフレーム・フロント３に対して枢着される。好適には、更に、夫々のテンプル４は、夫々のテンプル４がフレーム・フロント３に接近して位置する閉じ位置と、夫々のテンプル４が実質的に平行であり且つ長手方向Ｘにおいて相互から離間されるという開き位置との間で切換わるべく適合化される。
【００１８】
説明の以下の部分においては、特に明記されない限り、方向および距離は、夫々のテンプル４が開き位置に在る眼鏡を参照する。
【００１９】
特に、夫々のテンプル４は、ステム４１およびテンプル先端４２を備える。ステム４１は、実質的に直線状である。ステム４１は、フレーム・フロント３と、夫々のテンプル先端４２との間に配置される。故に、テンプル先端４２は、フレーム・フロント３に関して末端位置に在る。開き位置において、夫々のテンプル４、特に夫々のステム４１は、夫々のテンプル４の平面を画成する。
【００２０】
テンプル先端４２は、異なる形状およびサイズを以て形成され得る。テンプル先端４２は概略的に、テンプル４の端部により画成される。もしステム４１が金属で作成されるなら、テンプル先端４２は、（不図示の）プラスチック被覆を備えて成ることで、ユーザの頭部に対する快適な接触を促進し得る。
【００２１】
テンプル先端４２は、夫々のテンプル４のステム４１に関して傾斜され得ると共に、開き位置において、テンプル先端４２は、夫々のテンプル４の夫々のステム４１により画成された平面の外側に延在する。好適には、夫々のテンプル先端４２は、ユーザの耳の回りに収まるべく、夫々のテンプル４のステム４１に対して鈍角を形成する。
【００２２】
夫々のテンプル先端４２は、端部４３を有する。端部４３、または、可能的にはテンプル先端４２の全体が、主として、主要延在方向Ｙに沿って延在する。夫々のテンプル４の夫々のテンプル先端４２は、２つの別個の夫々の主要延在方向Ｙに延在することが銘記されるべきである。
【００２３】
図示実施例に依れば、テンプル先端４２は、実質的に平坦な端部４３を有する。換言すると、端部４３は、相互に対して直交すると共に主要延在方向Ｙに対して直交する第１断面方向Ｗおよび第２断面方向Ｚを定義する断面を有する。特に、端部４３は、第１断面方向Ｗにおける同様の長さに関し、更に短く、または、無視可能な長さだけ、第２断面方向Ｚにおいて延在する。概略的に、第２断面方向Ｚはユーザの頭部に向けて延在することから、端部４３はユーザに対して円滑な表面を提供する。
【００２４】
３つの異なる好適な標準形式に依れば、夫々のテンプル先端４２は、夫々、３ｍｍ、５ｍｍおよび１３ｍｍに等しい断面サイズを有する。特に、狭幅タイプ（ｔｈｉｎ  ｔｙｐｅ）のテンプル先端４２を有する眼鏡、および広幅タイプ（ｗｉｄｅ  ｔｙｐｅ）のテンプル先端４２を有する眼鏡が在ることが認識されるべきである。
【００２５】
本記述において、与えられた要素の断面寸法は、特に示されなければ常に、たとえば、第１断面方向Ｗにおいてまたは第２断面方向Ｚにおいて、夫々のテンプル先端４２の主要延在方向Ｙに対して直角に測定され得る斯かる要素の最大寸法を意味すると解釈されるべきである。
【００２６】
本発明の見地に依れば、図１に示された如く、眼鏡２に対しては２つの延長部１が協働して適用可能である。説明の以下の部分において更に明らかとなる様に、夫々の延長部１は、別個の形式、すなわち、狭幅タイプおよび広幅タイプのテンプル先端４２を有する少なくとも２種類の眼鏡に対して適合可能であり、その場合、広幅タイプに係るテンプル先端４２は、狭幅タイプに係るテンプル先端４２に関して更に大きい断面寸法を有する。
【００２７】
たとえば、夫々のテンプル先端４２は、それらの断面寸法が３．５ｍｍ未満であれば狭幅タイプに包含され、且つ、それらの断面寸法が４．５ｍｍより大きければ広幅タイプに包含されると見做され得る。
【００２８】
２つの延長部１は、同一の特定構造を有すると共に、相互に鏡映的である。換言すると、一方の延長部１の形状は、平面に関する対称性により、他方の延長部１の形状から求められ得る。
【００２９】
２つの延長部１は、相互に別個で独立した要素である。単一の延長部１に対し、または、眼鏡２の単一の鏡映的部分に対して示された特定構造は、両方の延長部１に対し、または、眼鏡２の両方の夫々の鏡映的部分に対して適用可能であると考慮されるべきである。
【００３０】
夫々の延長部１は、本体５を有する。実施例に依れば、本体５は弾性材料で作成される。更に好適には、本体５は、たとえば液体シリコーン・ゴムの型成形により製造されたシリコーン・ゴムから作成される。斯かる材料は、可撓性、低温および高温に対する耐性、紫外線に対する耐性、および、経年変化に対する耐性などの種々の有用な特性を有している。好適には、斯かる材料は、４００％〜７００％の間に含まれる破壊伸び、３０〜７０の間に含まれるショアＡ硬度、および、５Ｎ／ｍｍ2〜１２Ｎ／ｍｍ2、好適には９Ｎ／ｍｍ2〜１１Ｎ／ｍｍ2の間に含まれる引張強度を有し得る。
【００３１】
本体５は、第１端５１と第２端５２との間で延在する。本体５は、第１セグメント５３および第２セグメント５４を有する。特に、第１端５１は第１セグメント５３上に配置され、且つ、第２端５２は第２セグメント５４上に配置される。
【００３２】
夫々の延長部１は、眼鏡２の夫々のテンプル先端４２に対して固定されるべく構成される。特に、第１セグメント５３は、テンプル先端４２に対して固定されるべく適合化される。
【００３３】
説明の以下の部分において、特に明記されない限り、眼鏡２および夫々の延長部１の相互位置は、（常に夫々のテンプル４を開き位置として）夫々のテンプル先端４２に対して固定された２つの延長部１に付随することが意図される。特に、主要延在方向Ｙ、第１断面方向Ｗおよび第２断面方向Ｚに対する言及は、２つの延長部１が夫々のテンプル先端４２に対して固定される位置を参照している。
【００３４】
第１セグメント５３は、主として、言及された主要延在方向Ｙに延在する。好適には、第１セグメント５３は、テンプル先端４２を可逆的に受容すべく構成されたキャビティ５５を有する。特に、キャビティ５５は、主要延在方向に沿ってテンプル先端４２を受容する。
【００３５】
本体５は、第１端５１において、テンプル先端４２により貫通されて該テンプル先端４２がキャビティ５５内に挿入されることを許容する開口５６を有する。キャビティ５５は、開口５６の逆側に底部５７を有する。
【００３６】
好適には、開口５６は、実質的に楕円形状を有することで、テンプル先端４２、特にその端部４３を保持すると共に、テンプル先端４２に関する延長部１の回動を阻止する。特に、開口５６は、テンプル先端４２の端部４３に対して既に記述されたのと同様の様式で、第２断面方向Ｚにおけるそれの寸法に関して更に大きな寸法を第１断面方向Ｗにおいて有している。
【００３７】
好適には、テンプル先端４２が開口５６を貫通してキャビティ５５内に挿入されたとき、延長部１の配向は固定される。
【００３８】
好適には、開口５６および／またはキャビティ５５は弾性的に変形可能であり、キャビティ５５内へのテンプル先端４２の挿入および捕捉を許容する。好適には、ユーザは、キャビティからテンプル先端４２を引抜くために力を加える必要があると共に、使用の間におけるそれの偶発的な脱落のリスクが阻止される。
【００３９】
図示実施例に依れば、キャビティ５５は、第１部分５８および第２部分５９を有する。キャビティ５５の第１部分５８は、開口５６と、該キャビティ５５の第２部分５９との間に配置される。たとえば、好適実施例において、キャビティ５５の第２部分５９は、該キャビティ５５の底部５７に配置される。
【００４０】
開口５６は、第１部分５８の断面寸法に関して更に小さい断面寸法を有する。第２部分５９もまた、第１部分５８の断面寸法に関して更に小さい断面寸法、たとえば、開口５６の断面寸法と実質的に等しい寸法を有する。
【００４１】
詳細には、キャビティ５５の第１部分５８は、広幅タイプのテンプル先端４２を受容すべく適合化された取付座を画成する。第１部分５８は、広幅タイプのテンプル先端を受容すべく変形可能であり得る。更に、キャビティ５５の第２部分５９は、狭幅タイプのテンプル先端４２を受容すべく適合化された取付座を画成する。故に、夫々の延長部１は、狭幅タイプの夫々のテンプル先端４２を有する眼鏡２、および、広幅タイプの夫々のテンプル先端４２を有する眼鏡２の両方に対して使用されるに適している。
【００４２】
故に、開口５６、および、キャビティ５５の第２部分５９は、夫々、第１部分５８に関するキャビティ５５の狭窄部を画成する。特に、キャビティ５５は、該キャビティ５５の第２部分５９に対する広幅タイプのテンプル先端４２の出入りを阻止すべく構成される。
【００４３】
狭幅タイプおよび広幅タイプの夫々のテンプル先端４２は、相互から区別され得る、と言うのも、狭幅タイプのテンプル先端４２はキャビティ５５の第２部分５９に対して出入りすべく適合化されるが、広幅タイプのテンプル先端４２は、第２部分５９に対してではなく、キャビティ５５の第１部分５８に対して出入りすべく適合化されるからである。特に、広幅タイプのテンプル先端４２は、第２部分５９および／または開口５６の断面寸法よりも大きな断面寸法を有している。
【００４４】
好適実施例において、たとえば、開口５６および第２部分５９は、３ｍｍに等しい断面寸法を有し、且つ、キャビティ５５の第１部分５８は、５ｍｍに等しい断面寸法を有する。
【００４５】
好適には、図４に示された如く、広幅のテンプル先端４２は、変形可能である開口５６を貫通通過すると共に、キャビティ５６の第１部分５８内に収容され得る。このことは、キャビティ５５内における広幅タイプのテンプル先端の位置決めの安定性を確実とする上で十分である。
【００４６】
たとえば、５ｍｍの断面寸法を有する標準形式に係るテンプル先端４２は、キャビティ５５の第１部分５８を変形させずに該第１部分５８内に収容されるべく適合化される。他方、図４に示された如く１３ｍｍの断面寸法を有するテンプル先端４２は、キャビティ５５の第１部分５８の変形を以て、該第１部分５８内に収容されるべく適合化される。
【００４７】
更に、図５に示された如く、３ｍｍに等しい断面寸法を有する標準形式に係る狭幅タイプのテンプル先端４２は、キャビティ５５の第２部分５９内に収容されるべく適合化される。故に、狭幅タイプのテンプル先端４２もまた、開口５６、および、キャビティの第１部分５８を貫通通過する。
【００４８】
好適には、狭幅タイプのテンプル先端４２は、２つの別個の箇所において、すなわち、開口５６、および、キャビティ５５の第２部分５９にて、安定的に保持され得る。
【００４９】
実質的に一定の断面を有するキャビティ５５を備えた延長部１は、限られた範囲の値における断面寸法を有するテンプル先端４２のみを受容すべく適合化されることに注意すべきである。
【００５０】
更に、キャビティ５５が単一の狭窄部を画成するという延長部１は、広幅タイプおよび狭幅タイプの両方のテンプル先端４２を受容し得るが、狭幅のテンプル先端４２は、キャビティ５５内における移動の過剰な自由度を有する。それはたとえば、開口５６はキャビティ５５の第１部分５８に関して狭窄部を画成するが、上述の第２部分５９は無い、という場合である。斯かるキャビティ５５内に挿入された狭幅のテンプル先端４２は、実際、開口５６のみにおいて所定位置に保持され乍ら、第１部分５８の内側で回動する可能性を有する。
【００５１】
他方、本発明に従い形状化されたキャビティ５５は、狭幅のテンプル先端４２および広幅のテンプル先端４２の両方を受容すべく適合化されることで、狭幅のテンプル先端４２の安定的な位置決めも確実とする。
【００５２】
好適には、延長部１は孔１１を有することで、キャビティ５５内へのテンプル先端４２の挿入の間において該キャビティ５５から空気が抜けることを許容する。好適には、キャビティ５５は、テンプル先端４２の挿入に対して低い機械的抵抗を提供する。
【００５３】
第２セグメント５４は、第１セグメント５３に関して傾斜される。第２セグメント５４は、主要延在方向Ｔに沿って延在する。特に、夫々の第２セグメント５４は、相互に別個である２つの主要延在方向Ｔに沿って延在する。詳細には、夫々の第２セグメント５４は、２ｃｍ〜８ｃｍの間に含まれ、好適には３ｃｍに等しい延在範囲を有する。
【００５４】
夫々の第１セグメント５３が、夫々のテンプル先端４２に対して夫々接続されたとき、夫々の第２セグメント５４は、夫々のテンプル先端４２から突出する。更に、斯かる状態において、夫々の第２セグメント５４の夫々の主要延在方向Ｔは、たとえば図１に示された如く、相互に収束することから、夫々の第２セグメント５４はユーザの首上に着座し得る。
【００５５】
特に、夫々のテンプル先端４２間の距離は、夫々の延長部１の第２セグメント５４同士の間の距離より大きい。斯かる距離は、夫々のテンプル４を開き位置とすると共に、夫々のテンプル先端４２を夫々の延長部１の第１セグメント５３に対して接続し乍ら、長手方向Ｘにおいて、特に夫々のテンプル４の平面内で測定されることが意図される。
【００５６】
再び、斯かる構成において、夫々の第２セグメント５４は、夫々の第１セグメント５３に関し、２つのテンプル４により、すなわち、テンプルの夫々のステム４１により画成された平面上で測定された１１０°〜１６０°の角度Ｂだけ傾斜される。斯かる角度Ｂは特に、斯かる平面上における夫々の第１部分５８および夫々の第２セグメント５４の投影により特定される。換言すると、角度Ｂは、夫々のテンプル４の平面上において、第２セグメント５４の主要延在方向Ｔ、および、夫々のテンプル先端４２の主要延在方向Ｙの投影により画成される。
【００５７】
好適には、夫々の延長部１が存在しなければ、ユーザの首は眼鏡２の夫々のテンプル先端４２間を占めるスペースを容易に通り抜け得るが、夫々の延長部１が存在すると、もはや、夫々の延長部１間を首が通るに十分なスペースは無く、且つ、眼鏡は首から脱落しない。
【００５８】
夫々のテンプル先端４２に関する、すなわち、夫々の第１セグメント５３に関する夫々の第２セグメント５４の配向を確実とするために、夫々の第２セグメント５４の主要延在方向Ｔが、夫々のテンプル先端４２に関する、すなわち、夫々の第１セグメント５３に関する第１断面方向Ｗに対して実質的に直交する平面内に位置することを銘記すべきである。
【００５９】
好適には、上述された如く、テンプル先端４２に関する延長部１の回動は阻止される。結果として、第２セグメント５４の配向は固定される。特に、ユーザが眼鏡を首の回りに適用したとき、斯かる配向は、本発明の不図示の実施例において、夫々の第２セグメント５４が、部分的に下方に、すなわち、ユーザの肩の背後にも進展し得るとしても、少なくとも部分的にユーザの首の背後を向く。
【００６０】
本発明に係る眼鏡２は、最初に夫々の延長部１を夫々のテンプル先端４２に対して固定することにより使用され得る。特に、固定操作は、テンプル先端４２の端部４３を開口５６を通してキャビティ５５内に挿入することにより行われる。挿入操作において、延長部１は、テンプル先端４２の端部４３の実質的に平坦な形状、および、開口５６の楕円形状に依り、テンプル先端４２に関して配向される。
【００６１】
その後、ユーザは、夫々のテンプル先端４２を耳上に着座させて、延長部１を備えた眼鏡２を顔上に適用し得るか、または、ユーザは、夫々の延長部１の夫々の第２セグメント５４を首の背後に着座させ乍ら、眼鏡２を首の回りに適用し得る。
【図１】
2019523911.tif 000003
【図２】
2019523911.tif 000004
【図３】
2019523911.tif 000005
【図４】
2019523911.tif 000006
【図５】
2019523911.tif 000007
【国際調査報告】
2019523911.tif 000008
2019523911.tif 000009
2019523911.tif 000010